(57)【特許請求の範囲】
【請求項１】
本体フレームと、表示窓が開口され前記本体フレームに開閉自在に装着される扉と、前記本体フレーム内に設置されるプリント基板と、該プリント基板上に設置され前記扉の表示窓から露出する操作パネルと、
該操作パネルに設けられ、警戒地区を表示する台紙及び透光窓を有し前記台紙を覆うカバーによって構成された火災表示部とを備え、
前記扉を閉じたときに、該扉が前記カバーを押圧するようにしたことを特徴とする火災受信機。
【請求項２】
前記カバーの側縁に突設された突片を設け、前記扉を閉じたときに、該扉が前記カバーの突片を押圧することを特徴とする請求項１記載の火災受信機。
【請求項３】
前記操作パネルの側壁に切除部を設け、前記カバーの突片を該切除部に嵌入することを特徴とする請求項２記載の火災受信機。
【請求項４】
前記切除部にねじ穴を設けると共に、前記突片にねじ挿通穴を設け、前記突片を切除部にねじ止めすることを特徴とする請求項３記載の火災受信機。
【発明の詳細な説明】
【０００１】
【発明の属する技術分野】
本発明は、火災報知設備における火災受信機に係り、さらに詳しくは、複数の火災警戒地区を各火災警戒地区ごとに火災表示するようにした火災受信機に関するものである。
【０００２】
【従来の技術】
従来の火災受信機は、一般に、本体フレーム、本体フレーム内に設置されたプリント基板及び操作パネル、この操作パネルの一部が露出する表示窓を有し本体フレームに開閉自在に装着された扉等からなっている。
そして、操作パネル上には、例えば特開平９−１０２０９３号公報に記載されているように、火災灯、警戒地区を各地区ごとに火災表示する複数の地区窓からなる火災表示部、及び各種のスイッチ群からなり地区窓の下方に設けられた操作部等を備えており、操作部は、音響停止スイッチのように常にパネル上に露出しているスイッチ群と、メンテナンス用スイッチ等の如く常時は使用しないため保護カバーで覆われているスイッチ群とからなっている。
【０００３】
上記のような火災受信機においては、複数の地区窓は横方向に並べられており、警戒地区が多くなるとこれを縦方向に複数段設けている。そして、各地区窓には地区表示用の台紙が個々に取付けられ、その上を、両側に地区窓に設けた係止穴に係止する突起部を有する透明な合成樹脂板からなるカバーでそれぞれ覆っている。
【０００４】
【発明が解決しようとする課題】
従来の火災受信機は、地区窓が警戒地区の高さ方向の位置と関係なく横方向に並べられており、さらに、必要に応じてこれを縦方向に複数段設けるようにしてるので、見難いばかりでなく、地区窓の位置と警戒地区の位置とがイメージ的に一致しない。
このため、最近のように建造物の高層化が進んで例えば２０階の建造物の各階をそれぞれ警戒地区とした場合、火災に際してどの警戒地区（何階）で発生したかを素速く確認することが困難である。
【０００５】
また、多数の地区窓には、個々に地区表示用の台紙及びカバーを取付けなければならないので、その着脱がきわめて面倒である。
【０００６】
本発明は、上記の課題を解決するためになされたもので、火災の発生地区を容易かつ確実に確認することができ、警戒地区表示用の台紙及びカバーの着脱もきわめて簡単な火災受信機を得ることを目的としたものである。
【０００７】
【課題を解決するための手段】
（１）本発明に係る火災受信機は、本体フレームと、表示窓が開口され前記本体フレームに開閉自在に装着される扉と、前記本体フレーム内に設置されるプリント基板と、該プリント基板上に設置され前記扉の表示窓から露出する操作パネルと、該操作パネルに設けられ、警戒地区を表示する台紙及び透光窓を有し前記台紙を覆うカバーによって構成された火災表示部とを備え、前記扉を閉じたときに該扉が前記カバーを押圧するようにしたものである。
【０００８】
（２）上記（１）のカバーの側縁に突設された突片を設け、前記扉を閉じたときに、該扉が前記カバーの突片を押圧するようにした。
【０００９】
（３）上記（２）の操作パネルの側壁に切除部を設け、前記カバーの突片を該切除部に嵌入するようにした。
【００１０】
（４）上記（３）の切除部にねじ穴を設けると共に、前記突片にねじ挿通穴を設け、前記突片を切除部にねじ止めするようにした。
【００１３】
【発明の実施の形態】
図１は本発明の一実施形態の正面図、上面図及び側面図、図２は図１の扉を開いた状態を示す平面図、図３は一部を省略して示した本体フレームの平面図である。
図において、１は底板２と周壁３に囲まれた箱状の本体フレームで、底板２には後述のプリント基板２１を設置するリブ４、複数の支持スタッド５、段部６ａを有しねじ穴が設けられた段付きねじスタッド６及びねじ穴を有するねじスタッド７ａ，７ｂが設けられており、これら支持スタッド５、段付きねじスタッド６の段部６ａ、及びねじスタッド７ａ，７ｂの高さは等しく、かつ周壁３より低く形成されている。８ａはプリント基板２１を係止するＬ字状の複数の係止片で、ねじスタッド７ａとの間にはすき間が形成されている。８ｂは係止爪を有する複数の係止片である。９はプリント基板２１の位置決めリブ、１０は外部配線の取込口、１１は電源ケーブルの取込口、１２は本体フレーム１を壁面等に取付けるためのねじ挿通穴である。
【００１４】
１５はヒンジ１７により本体フレーム１に開閉可能に取付けられた扉で、浅い箱状に形成されており、前面板には後述の操作パネル３１の一部が露出する表示窓１６が開口されている。
【００１５】
図４は導電パターン及び搭載された電気部品の一部を省略して示したプリント基板２１の平面図である。２２は音響停止スイッチ、２３は複数のメンテナンス用スイッチで、以下これらをスイッチ群Ｓという。２４は各メンテナンス用スイッチ２３に対応して実装され、当該スイッチの操作状態を表示するＬＥＤの如き発光素子である。２５ａ，２５ｂはプリント基板２１の一方の側の上下方向に並設されて外部配線が接続される端子台、２５ｃは電源ケーブルが接続される電源端子、２６は端子台２５ａに沿って上下方向（縦方向）に所定の間隔で搭載され、警戒地区の火災を表示するＬＥＤの如き複数の発光素子である。
【００１６】
２７はスイッチ群Ｓの側方に設けられた複数のヒューズ、２８ａ，２８ｂはスイッチ群Ｓのほぼ中央部に設けられ、後述の操作パネル３１に設けた係止爪が係止する一対の係止穴、２９は本体フレーム１の段付きねじスタッド６に嵌合し、段部６ａに当接する嵌合穴、３０ａは端子台２５ａ，２５ｂの反対側に設けられたねじ挿通穴、３０ｂは端子台２５ａ，２５ｂ側の隅部に設けられたねじ挿通穴である。
【００１７】
３１は操作パネルで、図５に示すように、前面板３２と周壁３３とからなり、前面板３２には操作部３４が設けられた上下方向（縦方向）に長い第１の凹部３５と、第１の凹部３５に並設され、この凹部３５より浅く形成されて火災表示部３６が設けられる縦長の第２の凹部３７とが設けられている。なお、操作パネルの前面板３２において、火災表示部３６は上端から下端にわたって、片側（左側）に縦長に設けられる。そして、第１の凹部３５には、各種の表示部３８、プリント基板２１の音響停止スイッチ２２を操作する操作部３９（以下音響停止用プッシュボタンという）、回線選択スイッチ等を操作する操作部４０（以下回線選択用プッシュボタンという）、及びプリント基板２１のメンテナンス用スイッチ２３をそれぞれ操作する操作部４１（以下メンテナンス用プッシュボタンという）などが設けられている。なお、上記の各プッシュボタン４０，４１を合せてプッシュボタン群ＰＢという。
【００１８】
４２（図６参照）はプリント基板２１に設けた各発光素子２４に対応して第１の凹部３５の背面にそれぞれ突設された導光スタッドで、軸方向には導光穴４３が貫設されている。４４ａ，４４ｂはプッシュボタン群ＰＢのほぼ中央部において、第１の凹部３５の背面に突設された係止爪を有する一対の係止片で、プリント基板２１の係止穴２８ａ，２８ｂに係止する。
４５は下部両側にヒンジピン４６を有する保護カバーで、操作部３４の下方において前面板３２から突出して設けた軸受４７にヒンジピン４６を嵌入して開閉可能に保持され、常時は閉じられてプッシュボタン群ＰＢを覆っている。なお、メンテナンス用のプッシュボタン等を覆う保護カバー４５は火災表示部３６の下部の横方向に隣接して設けられる。
【００１９】
４８（図７参照）はプリント基板２１に設けた火災表示用の各発光素子２６に対応して、第２の凹部３７の背面にそれぞれ突設された導光スタッドで、軸方向には導光穴４９が貫設されている。そして、この導光穴４９の断面積は、先端部から基部に向って徐々に拡大され、発光素子２６からの小さい光を大きく表示するようになっている。上述の導光スタッド４２，４８は、導光穴４３，４９の下端部が発光素子２４，２６に嵌合しうる大きさに形成されており、また、操作パネル３１をプリント基板２１上にセットしたときに、プリント基板２１の表面を抑える高さに設定されている。なお、導光穴４３，４９内に光ガイド部材を設けるようにしてもよく、この光ガイド部材は、透明なアクリル樹脂等で構成し、後述の火災表示部３６のカバー５６と一体に成形してもよい。また、導光穴４３，４９の下端部と、発光素子２４，２６とは嵌合させなくてもよい。
【００２０】
５０ａ，５０ｂは第２の凹部３７の一方の側壁に設けた係合穴、５１ａ（５１ｂ）は第２の凹部３７の上下の側壁に設けた嵌入穴である（５１ｂは図示してない）。５３ａ，５３ｂ，５３ｃは第２の凹部３７の他方の側壁に設けた切除部で、上下の切除部５３ａ，５３ｂにはねじ穴５４が設けられている。５５は本体フレーム１の段付きねじスタッド６に対応して第２の凹部３７の背面に突設したスタッド（図示せず）の軸方向に貫設したねじ挿通穴で、その先端部は、操作パネル３１をプリント基板２１上にセットしたときに段付ねじスタッド６に嵌合し、段部６ａに当接するようになっている。
【００２１】
５６は火災表示部３６のカバーで、各導光穴４９に対応してそれぞれ透光窓５７が設けられており、各透光窓５７の側方には透明な地区窓５８が形成されている。５９ａ，５９ｂはカバー５６の一方の側縁に突設され、第２の凹部３７の側壁に設けた係合穴５０ａ，５０ｂに係合する係合突起、６０ａ，６０ｂはカバー５６の他方の側縁に突設された突片で、ねじ挿通穴６１が設けられている。６２は突片６０ａ，６０ｂのほぼ中間部に設けられた指掛け片である。なお、図示してないが、本発明においては、上下に第２の凹部３７に設けた嵌入穴５１ａ，５１ｂに嵌入する突出部を有し、カバー５６の地区窓５８に対応して警戒地区名などが記載されて第２の凹部３７内にセットされる台紙を備えている。
カバー５６は１枚の板からなり、そこに複数の地区窓５８が設けられたため、従来のものに比べてカバー５６の取付時間（工数）を削減できる。なお、警戒地区の数が少ない場合は、カバー５６の下部をその数に合せて例えば黒色に塗ればよい。
【００２２】
６３は周壁３３の一部を切除して、操作パネル３１をプリント基板２１上にセットしたときに、ヒューズ２７を露出させるための切除部、６４ａ，６４ｂ，６４ｃは側面が開口された凹部で、底部にはプリント基板２１のねじ挿通穴３０ａに対応してねじ挿通穴（図示せず）が設けられている。
【００２３】
次に、上記のように構成した本発明に係る火災受信機の組立順序の一例について説明する。なお、本体フレーム１にはヒンジ１７により扉１５が取付けられており、プリント基板２１には電気部品が実装され、操作パネル３１には保護カバー４５が取付けられているものとする。
【００２４】
先ず、扉１５を開いて、図３に示すように、プリント基板２１（１点鎖線で示す）の一方の側（図４の右側）を、本体フレーム１に設けたねじスタッド７ａとＬ字状の係止片８ａとの間に挿入し、位置決めリブ９に沿ってプリント基板２１をリブ４及び支持スタッド５上に載置し、係止片８ｂの係止爪をプリント基板２１の上面に係止させる。
このとき、プリント基板２１に設けた嵌合穴２９は本体フレーム１の段付きねじスタッド６に嵌合してその段部６ａ上に位置し、また、各ねじ挿通穴３０ａ，３０ｂはねじスタッド７ａ，７ｂ上に位置して、プリント基板２１は水平に保持される。
【００２５】
ついで、プリント基板２１上に操作パネル３１を載置し、その係止片４４ａ，４４ｂの係止爪をプリント基板２１の係止穴２８ａ，２８ｂに係止させる。このときのプリント基板２１と操作パネル３１との関係は次の通りである。
（１）操作パネル３１の導光スタッド４２，４８の導光穴４３，４９は、プリント基板２１に設けた発光素子２４，２６にそれぞれ嵌合し、その先端部はプリント基板２１の表面に当接している。
（２）操作パネル３１の第２の凹部３７に設けたスタッドのねじ挿通穴５５が本体フレーム１の段付きねじスタッド６に嵌合し、その先端部が段部６ａに当接している。
【００２６】
（３）操作パネル３１の凹部６４ａ〜６４ｃに設けたねじ挿通穴は、プリント基板２１のねじ挿通穴３０ａ及び本体フレーム１のねじスタッド７ａと整合している。
（４）操作パネル３１の各プッシュボタン４０，４１は、プリント基板２１に設けた各スイッチ２２，２３にそれぞれ当接している。
（５）プリント基板２１に設けた端子台２５ａ，２５ｂ及び電源端子２５ｃは、操作パネル３１の側方に位置し、ヒューズ２７は操作パネル３１の切除部６３から露出している。
【００２７】
この状態で、操作パネル３１の第２の凹部３７に設けたねじ挿通穴５５から挿通したねじを本体フレーム１の段付きねじスタッド６に螺入すると共に、凹部６４ａ〜６４ｃのねじ挿通穴から挿通したねじを、プリント基板２１のねじ挿通穴３０ａを介して本体フレーム１のねじスタッド７ａに螺入して共締めし、プリント基板２１と操作パネル３１を本体フレーム１に固定する。また、プリント基板２１に設けたねじ挿通穴３０ｂに挿通したねじを、本体ケース１のねじスタッド７ｂに螺入して固定する。
【００２８】
次に、操作パネル３１の第２の凹部３７に地区名などが記載された台紙を挿入してその突出部を嵌入穴５１ａ，５１ｂに嵌入し、セットする。ついで、カバー５６の係合突起５９ａ，５９ｂを第２の凹部３７の側壁に設けた係合穴５０ａ，５０ｂに挿入して台紙及び火災表示用の導光穴４９を覆い、その突片６０ａ，６０ｂを切除部５３ａ，５３ｂに嵌入してねじ挿通穴６１に挿通したねじをねじ穴６１に螺入し、ねじ止めする。このとき、指掛け片６２は切除部５３ｃ内に位置する。このときの状態を図２に示す（但し、図２においては、保護カバー４５は省略してある）。
【００２９】
図１は図２の状態から扉１５を閉じた状態を示すもので、操作パネル３１の操作部３４及び火災表示部３６は扉１５の表示窓１６から露出しており、常時はプッシュボタン群ＰＢの前面は保護カバー４５により閉鎖されている。なお、このとき、扉１５の表示窓１６の縁部が火災表示部３６のカバー５６の透光窓５７側の縁部を押圧してカバー５６を保持しているので、カバー５６の突片６０ａ，６０ｂを操作パネル３１の切除部５３ａ，５３ｂにねじ止めしなくてもよい。この場合、扉１５の表示窓１６の縁部により、カバー５６に設けた突片６０ａ，６０ｂを押圧するようにしてもよい。また、火災報知設備のメンテナンスを行う場合は、扉１５を閉じたままの状態で保護カバー４５を下方に回動させて開放し、プッシュボタン群ＰＢを操作する。
【００３５】
【発明の効果】
本発明に係る火災受信機は、本体フレームと、表示窓が開口され前記本体フレームに開閉自在に装着される扉と、本体フレーム内に設置されるプリント基板と、プリント基板に設置され、扉の表示窓から露出する操作パネルと、この操作パネルに設けられ、警戒地区を表示する台紙及び透光窓を有し台紙を覆うカバーによって構成された火災表示部とを備え、扉を閉じたときに、扉がカバーを押圧するようにしたので、ねじによりカバーを操作パネルに固定する作業を省略することができ、カバー及び台紙の着脱がさらに容易になる。
【図面の簡単な説明】
【図１】本発明に係る火災受信機の一実施形態の正面図、上面図及び側面図である。
【図２】図１の扉を開いた状態を示す平面図である。
【図３】一部を省略して示した図１の本体フレームの平面図である。
【図４】一部を省略して示した図１のプリント基板の平面図である。
【図５】図１の操作パネルの分解斜視図である。
【図６】図５のＡ−Ａ断面図である。
【図７】図５のＢ−Ｂ断面図である。
【符号の説明】
１  本体フレーム
１５  扉
２１  プリント基板
２４，２６  発光素子
２８ａ，２８ｂ  係止穴
３１  操作パネル
３４  操作部
３６  火災表示部
４２，４８  導光スタッド
４３，４９  導光穴
４４ａ，４４ｂ  係止片
４５  保護カバー
５６  カバー
５７  透光窓
５８  地区窓
Ｓ  スイッチ群
ＰＢ  プッシュボタン群
【図１】
0003663530.tif 000002
【図２】
0003663530.tif 000003
【図３】
0003663530.tif 000004
【図４】
0003663530.tif 000005
【図５】
0003663530.tif 000006
【図６】
0003663530.tif 000007
【図７】
0003663530.tif 000008